(57)【特許請求の範囲】
【請求項１】
角形のボックス(1) の背面の両側上下位置に扁平な金具ホルダー(2) を取付け、この金具ホルダー(2) に形成されたバー挿込口には先端近くに取付孔(35)が設けられているバー(3) を該取付孔(35)がボックス(1) の側縁より外側に位置する使用状態と先端がボックス縁より張出しない不使用状態のいずれにも保持できるようにした電気機器収納箱の取付装置であって、前記金具ホルダー(2) はバー挿込口としての横挿込口(21)と縦挿込口(22)とが９０度向きを換えて隣接配置されるとともに板面にボルト挿入孔(23)が設けられたものとして、この金具ホルダー(2) を横挿込口(21)がボックス(1) の両側縁と近接し縦挿込口(22)はボックス(1) の上下縁との間に少なくともバー(3) の張出片(32)を受け入れるに充分な間隔が残されるように取付けてあり、一方、前記したバー(3) は金具ホルダー(2) の横挿込口(21)と縦挿込口(22)のいずれにも挿入可能で且つ前記したボルト挿入孔(23)に挿込まれるボルト(4) に螺合するねじ孔(34)を備えた挿込部(31)に前記取付孔(35)が先端近くに設けられた張出片(32)をその表面がボルト(4) の頭部より高く位置するように屈曲段部(33)を介して連設した屈曲板状のものとして、このバー(3) を金具ホルダー(2) に前記ボルト挿入孔(23)からねじ孔(34)にねじ込んだボルト(4) の締付度合いによってこのボルト(4) を回転中心として横挿込口(21)と縦挿込口(22)との間の回動といずれかの挿込口における締付固定とができるように挿着してあることを特徴とする電気機器収納箱の取付装置。
【発明の詳細な説明】
【０００１】
【産業上の利用分野】
本発明は、電気機器収納箱を建造物の壁面や工事現場の仮囲いなどに仮設する際に便利な電気機器収納箱の取付装置に関するものである。
【０００２】
【従来の技術】
角形のボックスの背面４隅に扁平な金具ホルダーを取付けて各金具ホルダーに取付孔付の取付板部が先端に形成されたバーを前記取付孔がボックスの側縁より外側に張出するように挿着した電気機器収納箱の取付装置は、実公平３ー１９２５０号公報などにより既に知られているが、従来のものはバーの取付板部が常時ボックスの側縁より張り出しているため、この張出部分が箱詰めするうえで邪魔となり、また、複数個を重ねようとするとボックス背面に取付けられた金具ホルダーで傷付けられるなど運搬・保管上種々の不都合があるものであった。
【０００３】
【発明が解決しようとする課題】
本発明が解決しようとするところは、前記のような問題を解決して保管・運搬時などにはバーの張出片がボックスの側縁より張り出すことがないようにして箱詰めスペースを小さくできるうえに、複数個を重ねてもボックス背面に取付けられた金具ホルダーで傷が付くこともなくて運搬・保管上便利であり、しかも、構造が簡単で安価に提供できる電気機器収納箱の取付装置を提供することにある。
【０００４】
【課題を解決するための手段】
前記のような課題を解決した本発明の電気機器収納箱の取付装置は、角形のボックスの背面の両側上下位置に扁平な金具ホルダーを取付け、この金具ホルダーに形成されたバー挿込口には先端近くに取付孔が設けられられているバーを該取付孔がボックスの側縁より外側に位置する使用状態と先端がボックス縁より張出しない不使用状態のいずれにも保持できるようにした電気機器収納箱の取付装置であって、前記金具ホルダーは、バー挿込口としての横挿込口と縦挿込口とが９０度向きを換えて隣接配置されるとともに板面にボルト挿入孔が設けられたものとして、この金具ホルダーを横挿込口がボックスの両側縁と近接し縦挿込口はボックスの上下縁との間に少なくともバーの張出片を受け入れるに充分な間隔が残されるように取付けてあり、一方、前記したバーは金具ホルダーの横挿込口と縦挿込口のいずれにも挿入可能で且つ前記したボルト挿入孔に挿込まれるボルトに螺合するねじ孔を備えた挿込部に前記取付孔が先端近くに設けられた張出片をその表面がボルトの頭部より高く位置するように屈曲段部を介して連設した屈曲板状のものとして、このバーを金具ホルダーに前記ボルト挿入孔からねじ孔にねじ込んだボルトの締付度合いによってこのボルトを回転中心として横挿込口と縦挿込口との間の回動といずれかの挿込口における締付固定とができるように挿着してあることを特徴とするものである。
【０００５】
【作用】
このような電気機器収納箱の取付装置は、常時は金具ホルダーの縦挿込口にバーの挿込部が挿入された不使用状態としておけば、縦挿込口とボックスの上下縁との間にはバーの張出片を受け入れるに充分な間隔が形成してあるので、バーの張出片がボックス縁より張り出すことがなく、小さいスペースで的確な箱詰めが可能となる。しかも、バーは挿込部の先端に張出片をその表面が前記ボルトの頭部より高く位置するように屈曲段部を介して連設してあるため、前記した不使用状態においてその複数個を重ねるとボックスは４個のバーの張出片が平らな受け面となり、ボックスが金具ホルダーやボルトで傷が付くこともない。
【０００６】
【実施例】
次に、本発明を図示の実施例に基づいて詳細に説明する。
１は電気機器を収納する角形のボックス、２はこのボックス１の背面の両側上下位置に取付けられる扁平な金具ホルダーである。この金具ホルダー２は、バー挿込口としての横挿込口２１と縦挿込口２２とが９０度向きを換えて隣接配置されるとともに、表面にはボルト挿入孔２３が設けられたもので、この金具ホルダー２は横挿込口２１がボックス１の両側縁と近接し、縦挿込口２２とボックス１の上下縁との間に少なくとも後記するバー３の張出片３１を受け入れるに充分な間隔が残されるように横挿込口２１と縦挿込口２２の形成されていない２辺の折曲脚端をボックス背面に溶接することによりボックス１に対して取付けられている。
【０００７】
一方、各金具ホルダー２に挿着するバー３は、前記横挿込口２１と縦挿込口２２のいずれにも挿入可能で且つ前記ボルト４が螺合されるねじ孔３４が形成された挿込部３１の先端に取付孔３５が設けられている張出片３２をその表面が前記ボルト４の頭部より高く位置するように屈曲段部３３を介して連設した屈曲板状のもので、このバー３は前記ボルト４の締付を緩めたときにはボルト４を回転中心として横挿込口２１と縦挿込口２２との間において自由に回動でき、ボルト４の締付を強めたときには前記したボルト４を回転中心とする回転が不能なように締付固定されるものとしてあり、この手数を簡単にするため実施例では、横挿込口２１と縦挿込口２２との間の開口縁に位置してずれ止め用の脚座部２４を金具ホルダー２の表板の一部をプレスして形成しておく。そして、ボルト４を緩めるとバー３は下降し、ボルト４を中心として脚座部２４の下を通って横挿込口２１と縦挿込口２２との間で回動でき、また、ボルト４を締めるとバー３は上昇して金具ホルダー２の裏面に接触しバー３は回動できなくなるものとしてある。
【０００８】
このように構成されたものは、金具ホルダー２の縦挿込口２２にバー３の挿込部３１が挿入された図１に鎖線で示す不使用状態においては、縦挿込口２２とボックス１の上下縁との間にバー３の張出片３２を受け入れるに充分な間隔が形成してあるので、バー３の張出片３２がボックス１の左右縁はもとより上下縁からも張り出すことがなくて小さいスペースで的確な箱詰めが可能であり、しかも、バー３は挿込部３１の先端に張出片３２をその表面がボルト挿入孔２３よりバー３のねじ孔３４にねじ込んだボルト４の頭部よりも高く位置するように屈曲段部３３を介して連設してあることにより、ボックス１の裏面４隅においてボックス裏面と略平行している平板状の張出片３２は複数個のボックス１を重ねるときの受け面となり、屈曲段部３３による弾性下にボックス１は４個のバー３の張出片３２を介して重ねられることとなってボックス面が金具ホルダー２やボルト４により傷付けられることを的確になくすことができる。
【０００９】
しかして、ボックス１を建造物の壁面や工事現場の仮囲いなどに仮設する際には、ボルト４の締付を解くようにボルト４を逆回動させると、ボルト挿入孔２３を通じてボルト４に螺合されたバー３は下降し、脚座部２４の下を通って横挿込口２１と縦挿込口２２との間でバー３が回動できる位置に達するから、この状態で縦挿込口２２より張出しているバー３の張出片３２を指で押せばボルト４を回転中心として横挿込口２１に向け回動するから、張出片３２がボックス１の両側縁と近接している横挿込口２１から張出された図１および図２に示す状態としたならば、ボルト４をバー３が金具ホルダー２の裏面に接するまで締付けてバー３を金具ホルダー２に固定してあとは張出片３２の先端近くの取付孔３５を利用してボックス１を建造物の壁面や工事現場の仮囲いなどに対して的確容易に仮設すればよい。
【００１０】
【発明の効果】
本発明は前記説明によって明らかなように、不使用時にバーの張出片がボックスの側縁より張り出すことがないようにしておくことができるので、箱詰めスペースを小さくでき、しかも、複数個のボックスを重ねるときはボックスの裏面４隅においてボックス裏面と略平行している平板状の張出片がボックス受け面となって屈曲段部による弾性下にボックスを的確に支持するので、ボックス面がボルト頭部や金具ホルダーで傷が付くことがなくなるなど運搬・保管上便利であり、また、構造が簡単で安価に提供できる利点もある。
また、実施例に示すように、金具ホルダーに横挿込口と縦挿込口との間に位置するずれ止め用の脚座部を形成しておけば、ボルトの締緩のときにバーが回動するのを阻止できるからバーの位置換えをより簡単に行えるものとなる。
従って、本発明は従来の問題点を解決した電気機器収納箱の取付装置として業界の発展に寄与するところ極めて大なものである。
【図面の簡単な説明】
【図１】  本発明を用いた電気機器収納箱の１例を示す背面図である。
【図２】  バーが横挿込口より張出した状態で示す本発明の実施例の要部の一部切欠斜視図である。
【符号の説明】
１  ボックス
２  金具ホルダー
21  横挿込口
22  縦挿込口
23  ボルト挿入孔
24  脚座部
３  バー
31  挿込部
32  張出片
33  屈曲段部
34  ねじ孔
35  取付孔
４  ボルト
【図１】
0003734522.tif 000002
【図２】
0003734522.tif 000003